(57)【要約】 【課題】既存の吊子部材をそのまま使用して、荷重耐久力を向上させたタイトフレームを提供する。【解決手段】長手方向にリブ部を設けた長尺金属板を台形波形状に折曲したタイトフレーム本体１の頂板部１３に、底板部２１と、底板部に吊子装着可能となるように底板部より上方位置にあり、且つ屋根板形状に対応する形状とした屋根受け部２４とを備える頂部金具体２を、吊子取付部（透孔１４，２５）を形成して固着してなるもので、タイトフレーム本体１の頂板部１３に段差部が形成されないので、荷重耐久性が向上する。【選択図】図２
2008255621.tif 000002
【特許請求の範囲】
【請求項１】
長手方向にリブ部を設けた長尺金属板を台形波形状に折曲したタイトフレーム本体の頂板部に、底板部と、底板部に吊子装着可能となるように底板部より上方位置にあり、且つ屋根板形状に対応する形状とした屋根受け部とを備える頂部金具体を、吊子取付部を形成して固着してなることを特徴とするタイトフレーム。
【請求項２】
底板部の前後に屋根受け部を設けてなる請求項１記載のタイトフレーム。
【請求項３】
底板部の四周を立ち上げて一体の箱型形状とし、前後立面に連続して屋根受け部を設けてなる請求項２記載のタイトフレーム。
【請求項４】
タイトフレーム本体の頂板部と頂部金具体の底板部とを貫通する透孔を形成して吊子取付部としてなる請求項１乃至３記載の何れかのタイトフレーム。
【請求項５】
透孔にボルト軸が上方に突出するように装着固定して、タイトフレーム本体と頂部金具体の固着と同時に吊子取付部を設けてなる請求項４記載のタイトフレーム。
【請求項６】
タイトフレーム本体の前後縁を下方に折曲してなる請求項１乃至５記載のいずれかのタイトフレーム。
【発明の詳細な説明】
【技術分野】
【０００１】
本発明は、吊子を使用する馳式折版屋根に使用するタイトフレームに関するものである。
【背景技術】
【０００２】
種々の折版屋根が知られているが、隣接折版を山状頂部で側縁を互いに巻き込んで連結する巻ハゼ式（馳式）に使用するタイトフレームは、巻ハゼの中心となる吊子を装着するようにしている。
【０００３】
即ち台形波状のタイトフレームの頂板に吊子を装着するもので、最も一般的な吊子装着手段は、特許文献（特開２０００−３８８０８号公報）に記載されているように、タイトフレームの頂板部に段差を形成してボルト頭部の収納箇所を確保し、低段部に吊子の脚板をボルトナットで固定しているものである。
【０００４】
またタイトフレームの頂部に段差を設けずに、吊子を取り付ける手段として、特許文献２（特開平１０−２０６７号公報）に、タイトフレームの頂板部に被冠装着する特殊構造の吊子を装備させたタイトフレームが開示されている。
【０００５】
【特許文献１】特開２０００−３８８０８号公報。
【特許文献２】特開平１０−２０６７号公報。
【発明の開示】
【発明が解決しようとする課題】
【０００６】
近年タイトフレームに対して強度向上が求められているが、前記した段差部を備えた吊子装着構造では、段差を備えているために当該箇所によって強度向上が阻害されてしまう。
【０００７】
また特許文献２記載の段差を備えない構造にあっては、段差を有するものに比較して強度向上がなされるが、吊子形状が特殊なものとなり、既存の種々の吊子を選択使用できず、コスト的に問題となる。
【０００８】
そこで発明は、強度を高めると共に既存の吊子をも使用できる新規なタイトフレームを提案したものである。
【課題を解決するための手段】
【０００９】
本発明（請求項１）に係るタイトフレームは、長手方向にリブ部を設けた長尺金属板を台形波形状に折曲したタイトフレーム本体の頂板部に、底板部と、底板部に吊子装着可能となるように底板部より上方位置にあり、且つ屋根板形状に対応する形状とした屋根受け部とを備える頂部金具体を、吊子取付部を形成して固着してなることを特徴とするものである。
【００１０】
而して底板部と立ち上がり部と巻ハゼ芯部を備えた吊子部材の底板部を、吊子取付部に装着して起立固定して、梁上に設置し、従前と同様に折版屋根板による屋根葺きを行なうものである。
【００１１】
また本発明（請求項２，３）に係るタイトフレームは、前記の頂部金具体の底板部の四周を立ち上げて一体の箱型形状とし、前後立面に連続して屋根受け部を設けたもので、屋根受け部に荷重が加わっても、屋根受け部が前方又は後方に傾斜するのを防止するので荷重耐久力が増加する。
【００１２】
また本発明（請求項４，５）に係るタイトフレームは、タイトフレーム本体の頂板部と頂部金具体の底板部とを貫通する透孔を形成して吊子取付部としたり、前記透孔にボルト軸が上方に突出するように装着固定して、タイトフレーム本体と頂部金具体の固着と同時に吊子取付部を設けてなるもので、通常のボルトナットを使用した取付手段で、吊子部材の装着固定がなされ、またボルト軸とナットによって吊子部材の装着固定がなされるので、タイトフレーム本体部と頂部金具体の固定も同時になされることになる。
【発明の効果】
【００１３】
本発明は上記のとおりであるから、タイトフレーム本体の頂板部に段差を備えていないので、段差を備えた部材に比較して荷重耐久性に優れ、同時に既存の吊子部材を採用できる利点をも備えているものである。
【発明を実施するための最良の形態】
【００１４】
次に本発明の実施の形態について説明する。タイトフレームは、本体１と頂部金具体２とで形成される。
【００１５】
タイトフレーム本体１は、基本的に従前の物と同様で、長手方向にリブ部１１を設けた長尺金属板を台形波形状に折曲したもので、特に前後縁を下方に折曲して折曲縁部１２とし、また頂板部１３に２個の透孔を形成し、一方の透孔は、後述する頂部金具体２の固着用であり、他方を吊子取付部１４としてなる。
【００１６】
頂部金具体２は、底板部２１に左右周壁部２２と前後周壁部２３を連設し、前後周壁部２３の頂縁箇所から屋根板Ａの形状に対応する形状とした屋根受け部２４を設けたものである。
【００１７】
また底板部２１においてタイトフレーム本体１の頂板部１３に設けた透孔と対応する透孔を設け、頂板部１３上に底板部２１を載置し、リベット３で両者を連結固定し、リベット装着箇所の他方の透孔を吊子取付部２５としてなる。
【００１８】
前記タイトフレームは吊子部材４と組み合わせて使用されるもので、吊子部材４は、底板部４１と立ち上がり部４２と巻ハゼ芯部４３を備えてなり、各部の形状については、使用する屋根板Ａに合わせて任意の形状の既存部材が採用される。
【００１９】
而して前記のタイトフレームに吊子部材４を装着するものであるが、装着手段としては、従前と同様に吊子部材４の底板部４１を頂部金具体２の底板部２１上に載置し、吊子取付部（透孔）１４，２５にボルト５及びナット６を以って装着してタイトフレーム本体１と頂部金具体２をより堅固に一体化し、更にボルト５の頭部の収納箇所を、屋根受け部２４を上方に配置することによって確保できたもので、この吊子部材４を装着固定したタイトフレームを梁Ｂ上に配置し、巻ハゼ芯部４３に屋根板Ａの縁部を巻き込んで屋根葺きを実施するものである。
【００２０】
特にタイトフレーム本体１の頂板部１３に段差部が形成されないので、荷重耐久性が向上し、合わせてタイトフレーム本体１にリブ部１１の他に折曲縁部１２を形成したので、更に荷重耐久性が向上したものである。
【００２１】
また荷重を受ける屋根受け部２４が連続する前後周壁部２３の両端が左右周壁部２２と連続しているので、屋根受け部２４に荷重が加わっても、屋根受け部２４が前後周壁部２３と共に前方又は後方に傾斜するのを防止しているので、この点においても荷重耐久性が向上しているものである。
【００２２】
また図７及び図８に示すとおり、透孔（吊子取付部）１４，２５に吊子取付部として、ボルト軸２６を設けるようにしても良い。即ち、底板部２１の上方にボルト軸２６を突出固定し、このボルト軸２６にナット６で吊子部材４を装着するようにしても良く、吊子部材４の装着如何に拘らず、タイトフレーム本体１と金具体２の一体化がなされる。
【図面の簡単な説明】
【００２３】
【図１】本発明の実施形態の頂部金具体の全体斜視図。
【図２】同タイトフレームの頂板部分の断面図（左右切断線）。
【図３】同タイトフレームの頂板部分の断面図（前後切断線）。
【図４】同吊子部材装着時の断面図。
【図５】同吊子部材装着時の斜視図。
【図６】同屋根葺き状態の説明図。
【図７】同頂部金具体とタイトフレーム本体の連結固定の別例図。
【図８】同吊子部材装着時の断面図。
【符号の説明】
【００２４】
１        タイトフレーム本体
１１      リブ部
１２      折曲縁部
１３      頂板部
１４      透孔（吊子取付部）
２        頂部金具体
２１      底板部
２２      左右周壁部
２３      前後周壁部
２４      屋根受け部
２５      透孔（吊子取付部）
２６      ボルト軸（吊子取付部）
３        リベット
４        吊子部材
４１      底板部
４２      立ち上がり部
４３      巻ハゼ芯部
５        ボルト
６        ナット
Ａ        屋根板
Ｂ        梁
【図１】
2008255621.tif 000003
【図２】
2008255621.tif 000004
【図３】
2008255621.tif 000005
【図４】
2008255621.tif 000006
【図５】
2008255621.tif 000007
【図６】
2008255621.tif 000008
【図７】
2008255621.tif 000009
【図８】
2008255621.tif 000010